【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
被験者にさせる身体運動を提示する身体運動提示装置と、前記提示された身体運動に応じて前記被験者がした身体運動の身体運動データを検出する身体運動検出センサと、に接続されたデータ処理装置が、
前記被験者に実施させる身体運動指示データを生成し、前記生成した身体運動指示データに基づく身体運動を、前記身体運動提示装置を介して前記被験者に提示し、その実施を指示する身体運動指示ステップと、
前記被験者がした身体運動の身体運動データを、前記身体運動検出センサを介して時系列に取得する身体運動データ取得ステップと、
前記身体運動指示データと前記身体運動データとに基づき、前記被験者の身体運動の位置正確度および時系列正確度を算出する身体運動正確度算出ステップと、
前記算出された位置正確度および時系列正確度に基づいて前記被験者の認知障害度を算出する認知障害度算出ステップと、
前記算出された位置正確度および時系列正確度、または、前記算出された認知障害度を、前記被験者がした身体運動の計測日時とともに記憶装置に格納する記憶ステップと、
前記記憶装置に格納された過去のデータを利用して、前記被験者の身体運動の計測日時と前記認知障害度との関係を表す表示を出力する経時変化出力ステップと、
を実行することを特徴とする脳機能障害評価方法。
【請求項２】
前記データ処理装置は、
前記身体運動指示ステップにおいて、前記被験者が個別に有する視覚、聴覚および運動能力の少なくとも１つの能力を取得するための身体運動を提示する第１の処理と、
前記身体運動データ取得ステップにおいて、前記第１の処理により提示した身体運動に従って前記被験者がした身体運動の身体運動データを、前記被験者の前記視覚、聴覚および運動能力の少なくとも１つの能力の影響を排除したキャリブレーションデータとして取得する第２の処理と、
をさらに実行すること
を特徴とする請求項１に記載の脳機能障害評価方法。
【請求項３】
前記データ処理装置は、
前記身体運動指示ステップでは、前記被験者が２つの指を前記身体運動検出センサにタッチさせたままその２つの指を開閉する身体運動を、前記身体運動提示装置に提示すること
を特徴とする請求項１に記載の脳機能障害評価方法。
【請求項４】
前記データ処理装置は、
前記身体運動指示ステップでは、前記被験者の視覚を刺激する図形を前記身体運動提示装置に表示する処理および前記被験者の聴覚を刺激する音声を前記身体運動提示装置から出力する処理の少なくとも一方を実行するとともに、前記の刺激に応答して前記被験者が前記身体運動検出センサにタッチする身体運動を、前記身体運動提示装置に提示する処理を実行すること
を特徴とする請求項１に記載の脳機能障害評価方法。
【請求項５】
前記データ処理装置は、
前記身体運動指示ステップでは、移動する図形を前記身体運動提示装置に提示するとともに、前記被験者が前記身体運動検出センサに指をタッチさせたまま前記移動する図形を追跡する身体運動を、前記身体運動提示装置に提示すること
を特徴とする請求項１に記載の脳機能障害評価方法。
【請求項６】
被験者にさせる身体運動を提示する身体運動提示装置と、前記提示された身体運動に応じて前記被験者がした身体運動の実施データを検出する身体運動検出センサと、に接続されたデータ処理装置に、
前記被験者に実施させる身体運動指示データを生成し、前記生成した身体運動指示データに基づく身体運動を、前記身体運動提示装置を介して前記被験者に提示し、その実施を指示する身体運動指示ステップと、
前記被験者がした身体運動の身体運動データを、前記身体運動検出センサを介して時系列に取得する身体運動データ取得ステップと、
前記身体運動指示データと前記身体運動データとに基づき、前記被験者の身体運動の位置正確度および時系列正確度を算出する身体運動正確度算出ステップと、
前記算出された位置正確度および時系列正確度に基づいて前記被験者の認知障害度を算出する認知障害度算出ステップと、
前記算出された位置正確度および時系列正確度、または、前記算出された認知障害度を、前記被験者がした身体運動の計測日時とともに記憶装置に格納する記憶ステップと、
前記記憶装置に格納された過去のデータを利用して、前記被験者の身体運動の計測日時と前記認知障害度との関係を表す表示を出力する経時変化出力ステップと、
を実行させるためのプログラム。
【請求項７】
前記データ処理装置に、
前記身体運動指示ステップにおいて、前記被験者が個別に有する視覚、聴覚および運動能力の少なくとも１つの能力を取得するための身体運動を提示する第１の処理と、
前記身体運動データ取得ステップにおいて、前記第１の処理により提示した身体運動に
従って前記被験者がした身体運動の身体運動データを、前記被験者の前記視覚、聴覚および運動能力の少なくとも１つの能力の影響を排除したキャリブレーションデータとして取得する第２の処理と、
をさらに実行させること
を特徴とする請求項６に記載のプログラム。
【請求項８】
前記データ処理装置に、
前記身体運動指示ステップでは、前記被験者が２つの指を前記身体運動検出センサにタッチさせたままその２つの指を開閉する身体運動を、前記身体運動提示装置に提示する処理を実行させること
を特徴とする請求項６に記載のプログラム。
【請求項９】
前記データ処理装置に、
前記身体運動指示ステップでは、前記被験者の視覚を刺激する図形を前記身体運動提示装置に表示する処理および前記被験者の聴覚を刺激する音声を前記身体運動提示装置から出力する処理の少なくとも一方を実行させるとともに、前記の刺激に応答して前記被験者が前記身体運動検出センサにタッチする身体運動を、前記身体運動提示装置に提示する処理を実行させること
を特徴とする請求項６に記載のプログラム。
【請求項１０】
前記データ処理装置に、
前記身体運動指示ステップで、移動する図形を前記身体運動提示装置に提示するとともに、前記被験者が前記身体運動検出センサに指をタッチさせたまま前記移動する図形を追跡する身体運動を、前記身体運動提示装置に提示する処理を実行させること
を特徴とする請求項６に記載のプログラム。
【請求項１１】
被験者にさせる身体運動を提示する身体運動提示装置と、
前記提示された身体運動に応じて前記被験者がした身体運動の身体運動データを検出する身体運動検出センサと、
前記身体運動提示装置と前記身体運動検出センサとに接続されたデータ処理装置と、
を備え、
前記データ処理装置は、
前記被験者に実施させる身体運動指示データを生成し、前記生成した身体運動指示データに基づく身体運動を、前記身体運動提示装置を介して前記被験者に提示し、その実施を指示する身体運動指示部と、
前記被験者がした身体運動の身体運動データを、前記身体運動検出センサを介して時系列に取得する身体運動データ取得部と、
前記身体運動指示データと前記身体運動データとに基づき、前記被験者の身体運動の位置正確度および時系列正確度を算出する身体運動正確度算出部と、
前記算出された位置正確度および時系列正確度に基づいて前記被験者の認知障害度を算出する認知障害度算出部と、
前記算出された位置正確度および時系列正確度、または、前記算出された認知障害度を、前記被験者がした身体運動の計測日時とともに格納する記憶部と、
前記記憶部に格納された過去のデータを利用して、前記被験者の身体運動の計測日時と前記認知障害度との関係を表す表示を出力する経時変化出力部と、
を有すること、
を特徴とする脳機能障害評価装置。
【請求項１２】
前記データ処理装置は、さらに、
前記身体運動指示部の処理として、前記被験者が個別に有する視覚、聴覚および運動能力の少なくとも１つの能力を取得するための身体運動を提示する第１の処理を実行し、
前記身体運動データ取得部の処理として、前記第１の処理で提示された身体運動に従って前記被験者がした身体運動の身体運動データを、前記被験者の前記視覚、聴覚および運動能力の少なくとも１つの能力の影響を排除したキャリブレーションデータとして取得する第２の処理を実行すること
を特徴とする請求項１１に記載の脳機能障害評価装置。
【請求項１３】
前記身体運動提示装置と、前記身体運動検出センサと、前記身体運動指示部および前記身体運動データ取得部とを有する第１のデータ処理装置と、備えてなる端末装置と、
前記身体運動正確度算出部と前記認知障害度算出部とを有する第２のデータ処理装置を備えてなるサーバ装置と、
が互いに通信可能に接続されて構成されること、
を特徴とする請求項１１に記載の脳機能障害評価装置。